(57)【要約】【課題】ユーザが閲覧したことがあるコンテンツを他の表示装置で閲覧する場合でも、前回コンテンツの表示終了直前に表示されたページを最初に表示することが可能な表示装置、表示方法及び表示処理プログラムを提供する。【解決手段】  指示に基づいて選択されたコンテンツを、記憶内容の書き換えと着脱とが可能な不揮発性の可搬型記憶手段から読み出し表示手段に表示させる読み出し表示手段と、指示に基づいて、表示手段に表示中のコンテンツのページを切り替える表示切替手段と、選択されたコンテンツの表示の終了の直前に表示したページを示す表示ページ情報を、所定タイミングで当該コンテンツに対応付けて可搬型記憶手段に記憶させる記憶制御手段と、を備え、読み出し表示手段は、選択されたコンテンツに対応する表示ページ情報を可搬型記憶手段から読み出し、当該表示ページ情報が示すページを表示させる。【選択図】図２
2010170499.tif 000002
【特許請求の範囲】
【請求項１】
複数ページで構成されるコンテンツを表示する表示手段と、
指示を入力するために用いられる入力手段と、
前記指示に基づいて選択された前記コンテンツを、記憶内容の書き換えと着脱とが可能な不揮発性の可搬型記憶手段から読み出し前記表示手段に表示させる読み出し表示手段と、
前記指示に基づいて、前記表示手段に表示中の前記コンテンツのページを切り替える表示切替手段と、
前記選択されたコンテンツの表示の終了の直前に表示したページを示す表示ページ情報を、所定タイミングで当該コンテンツに対応付けて前記可搬型記憶手段に記憶させる記憶制御手段と、
を備え、
前記読み出し表示手段は、前記選択されたコンテンツに対応する前記表示ページ情報を前記可搬型記憶手段から読み出し、当該表示ページ情報が示すページを表示させることを特徴とする表示装置。
【請求項２】
請求項１に記載の表示装置において、
前記可搬型記憶手段には、前記コンテンツ自体に関する情報が付加情報として付加された当該コンテンツが記憶され、
前記記憶制御手段は、前記選択され前記可搬型記憶手段に記憶されている前記コンテンツに付加された前記付加情報中に前記表示ページ情報を設定することを特徴とする表示装置。
【請求項３】
請求項１または請求項２に記載の表示装置において、
前記表示切替手段は、前記指示に基づいて、前記表示手段による前記コンテンツの表示倍率と、当該コンテンツ１ページのうち前記表示手段に表示させる範囲と、の少なくとも何れか一方を切り替え、
前記記憶制御手段は、前記表示ページ情報と、前記選択されたコンテンツの表示の終了の直前における前記表示倍率及び前記範囲を示す表示情報と、を前記可搬型記憶手段に記憶させ、
前記読み出し表示手段は、前記表示ページ情報及び前記表示情報を前記可搬型記憶手段から読み出し、当該表示ページ情報が示すページにおいて当該表示情報が示す範囲を、当該表示情報が示す表示倍率で表示させることを特徴とする表示装置。
【請求項４】
請求項１乃至３の何れか１項に記載の表示装置において、
前記記憶制御手段は、前記選択されたコンテンツの表示を終了させるときに、その時点で前記表示手段に表示させていたページを示す前記表示ページ情報を記憶させることを特徴とする表示装置。
【請求項５】
請求項１乃至４の何れか１項に記載の表示装置において、
前記記憶制御手段は、電源から前記表示手段への電力供給が停止するときに、その時点で前記表示手段に表示させていたページを示す前記表示ページ情報を記憶させることを特徴とする表示装置。
【請求項６】
請求項１乃至５の何れか１項に記載の表示装置において、
電源から記憶保持のための電力が供給される揮発性記憶手段を更に備え、
前記記憶制御手段は、前記揮発性記憶手段へ電力が供給されているとき、前記表示手段に表示中のページを示す表示中ページ情報を前記揮発性記憶手段に記憶させ、前記揮発性記憶手段への電力供給が停止する前に、当該揮発性記憶手段に記憶されている前記表示中ページ情報を前記表示ページ情報として前記可搬型記憶手段に記憶させることを特徴とする表示装置。
【請求項７】
複数ページで構成されるコンテンツを表示する表示手段と、指示を入力するために用いられる入力手段と、を備える表示装置に含まれるコンピュータを、
前記指示に基づいて選択された前記コンテンツを、記憶内容の書き換えと着脱とが可能な不揮発性の可搬型記憶手段から読み出し前記表示手段に表示させる読み出し表示手段、
前記指示に基づいて、前記表示手段に表示中の前記コンテンツのページを切り替える表示切替手段、
前記選択されたコンテンツの表示の終了の直前に表示したページを示す表示ページ情報を、所定タイミングで当該コンテンツに対応付けて前記可搬型記憶手段に記憶させる記憶制御手段、
として機能させ、
前記読み出し表示手段としての前記コンピュータを、前記選択されたコンテンツに対応する前記表示ページ情報を前記可搬型記憶手段から読み出し、当該表示ページ情報が示すページを表示させるように機能させることを特徴とする表示処理プログラム。
【請求項８】
複数ページで構成されるコンテンツを表示する表示手段と、指示を入力するために用いられる入力手段と、を備える表示装置における表示方法であって、
前記指示に基づいて選択された前記コンテンツを、記憶内容の書き換えと着脱とが可能な不揮発性の可搬型記憶手段から読み出し前記表示手段に表示させる読み出し表示工程と、
前記指示に基づいて、前記表示手段に表示中の前記コンテンツのページを切り替える表示切替工程と、
前記選択されたコンテンツの表示の終了の直前に表示したページを示す表示ページ情報を、所定タイミングで当該コンテンツに対応付けて前記可搬型記憶手段に記憶させる記憶工程と、
を有し、
前記読み出し表示工程においては、前記選択されたコンテンツに対応する前記表示ページ情報を前記可搬型記憶手段から読み出し、当該表示ページ情報が示すページを表示させることを特徴とする表示方法。
【発明の詳細な説明】
【技術分野】
【０００１】
本発明は、コンテンツをページ単位で表示する表示装置、表示方法及び表示処理プログラムの技術分野に関する。
【背景技術】
【０００２】
現在、電子文書等のコンテンツを閲覧するための表示装置が広く知られている。一般的にこうした表示装置においては、ユーザ操作によって複数のコンテンツを切り替えながら表示することができるようになっている。このような態様において、コンテンツを切り替える度にコンテンツの最初の１ページ目が表示されていたのでは、ユーザが前回途中まで閲覧していたページまで辿り着くのに時間と手間とを要するという不都合が存在する。
【０００３】
かかる不都合を解消するため、特許文献１には、メモリカード等に記憶され閲覧されたコンテンツについて、ユーザが読み進んだ最終の表示ページを既読ページとして管理テーブルに記憶し、メニューから選択されたコンテンツの既読ページの情報を取得し、そのコンテンツの既読ページを表示する表示装置が記載されている。
【先行技術文献】
【特許文献】
【０００４】
【特許文献１】特開２００７−４１７１７号公報
【発明の概要】
【発明が解決しようとする課題】
【０００５】
しかしながら、上記特許文献１に記載の表示装置は、管理テーブルを装置本体に記憶させているため、コンテンツを記憶したメモリカード等を他の表示装置に装着してそのコンテンツを閲覧するときには、既読ページからコンテンツを表示させることができなかった。
【０００６】
そこで、本発明は、以上の点に鑑みてなされたものであり、ユーザが閲覧したことがあるコンテンツを他の表示装置で閲覧する場合でも、前回コンテンツの表示終了直前に表示されたページを最初に表示することが可能な表示装置、表示方法及び表示処理プログラムを提供することを課題とする。
【課題を解決するための手段】
【０００７】
上記課題を解決するために、本発明の一つの観点では、複数ページで構成されるコンテンツを表示する表示手段と、指示を入力するために用いられる入力手段と、前記指示に基づいて選択された前記コンテンツを、記憶内容の書き換えと着脱とが可能な不揮発性の可搬型記憶手段から読み出し前記表示手段に表示させる読み出し表示手段と、前記指示に基づいて、前記表示手段に表示中の前記コンテンツのページを切り替える表示切替手段と、前記選択されたコンテンツの表示の終了の直前に表示したページを示す表示ページ情報を、所定タイミングで当該コンテンツに対応付けて前記可搬型記憶手段に記憶させる記憶制御手段と、を備え、前記読み出し表示手段は、前記選択されたコンテンツに対応する前記表示ページ情報を前記可搬型記憶手段から読み出し、当該表示ページ情報が示すページを表示させることを特徴とする。
【０００８】
よって、コンテンツの表示の終了の直前に表示されたページを示す表示ページ情報が可搬型記憶手段に記憶され、選択されたコンテンツが可搬型記憶手段から読み出され表示される際に、当該コンテンツに対応する表示ページ情報が可搬型記憶手段から読み出され、当該表示ページ情報が示すページが表示されるので、本発明に係る表示装置と同じ構成を有する他の表示装置にこの可搬型記憶手段を装着することで、同じコンテンツを当該他の表示装置が表示する際にも、前回表示終了直前に表示されたページを最初に表示することができる。
【０００９】
また、前記表示装置において、前記可搬型記憶手段には、前記コンテンツ自体に関する情報が付加情報として付加された当該コンテンツが記憶され、前記記憶制御手段は、前記選択され前記可搬型記憶手段に記憶されている前記コンテンツに付加された前記付加情報中に前記表示ページ情報を設定することを特徴とする。
【００１０】
よって、表示ページ情報は、コンテンツの付加情報に設定されるので、表示ページ情報を記憶させるためのテーブル等の領域を予め確保する必要がなく、それゆえ、表示ページ情報を記憶させておける個数がテーブル等の容量に制限されず、可搬型記憶手段に記憶されているコンテンツ全てに対して表示ページ情報を記憶させることができる。
【００１１】
また、前記表示装置において、前記表示切替手段は、前記指示に基づいて、前記表示手段による前記コンテンツの表示倍率と、当該コンテンツ１ページのうち前記表示手段に表示させる範囲と、の少なくとも何れか一方を切り替え、前記記憶制御手段は、前記表示ページ情報と、前記選択されたコンテンツの表示の終了の直前における前記表示倍率及び前記範囲を示す表示情報と、を前記可搬型記憶手段に記憶させ、前記読み出し表示手段は、前記表示ページ情報及び前記表示情報を前記可搬型記憶手段から読み出し、当該表示ページ情報が示すページにおいて当該表示情報が示す範囲を、当該表示情報が示す表示倍率で表示させることを特徴とする。
【００１２】
よって、表示装置がコンテンツを拡大または縮小して表示することができる場合において、前回表示終了直前に表示されたページを、そのときの表示倍率と範囲とで表示することができる。
【００１３】
また、前記表示装置において、前記記憶制御手段は、前記選択されたコンテンツの表示を終了させるときに、その時点で前記表示手段に表示させていたページを示す前記表示ページ情報を記憶させることを特徴とする。
【００１４】
よって、ページが切り替わる都度、表示ページ情報が可搬型記憶手段に記憶されるということがないので、可搬型記憶手段が書き込み回数に限りがある場合において、当該可搬型記憶手段の寿命を延ばすことができる。
【００１５】
また、前記表示装置において、前記記憶制御手段は、前記電源から前記表示手段への電力供給が停止するときに、その時点で前記表示手段に表示させていたページを示す前記表示ページ情報を記憶させることを特徴とする。
【００１６】
よって、表示手段が電源からの電力供給が絶たれたときでもコンテンツの表示を維持する不揮発性表示手段である場合において、コンテンツの表示を終了させることなく前記表示手段への電力供給が停止されたとしても、他の表示装置に可搬型記憶手段を装着することで、同じコンテンツを当該他の表示装置が表示する際にも、前記表示手段への電力供給の停止時に表示されたページを最初に表示することができる。しかも、ページが切り替わる都度、表示ページ情報が可搬型記憶手段に記憶されるということがないので、可搬型記憶手段が書き込み回数に限りがある場合において、当該可搬型記憶手段の寿命を延ばすことができる。
【００１７】
また、前記表示装置において、電源から記憶保持のための電力が供給される揮発性記憶手段を更に備え、前記記憶制御手段は、前記揮発性記憶手段へ電力が供給されているとき、前記表示手段に表示中のページを示す表示中ページ情報を前記揮発性記憶手段に記憶させ、前記揮発性記憶手段への電力供給が停止する前に、当該揮発性記憶手段に記憶されている前記表示中ページ情報を前記表示ページ情報として前記可搬型記憶手段に記憶させることを特徴とする。
【００１８】
よって、ページが切り替わる都度、表示ページ情報が可搬型記憶手段に記憶されるということがないので、可搬型記憶手段が書き込み回数に限りがある場合において、当該可搬型記憶手段の寿命を延ばすことができ、表示中のページの管理を揮発性記憶手段と可搬型記憶手段とを用いて効率良く行うことができる。
【００１９】
本発明の他の観点では、複数ページで構成されるコンテンツを表示する表示手段と、指示を入力するために用いられる入力手段と、を備える表示装置に含まれるコンピュータを、前記指示に基づいて選択された前記コンテンツを、記憶内容の書き換えと着脱とが可能な不揮発性の可搬型記憶手段から読み出し前記表示手段に表示させる読み出し表示手段、前記指示に基づいて、前記表示手段に表示中の前記コンテンツのページを切り替える表示切替手段、前記選択されたコンテンツの表示の終了の直前に表示したページを示す表示ページ情報を、所定タイミングで当該コンテンツに対応付けて前記可搬型記憶手段に記憶させる記憶制御手段、として機能させ、前記読み出し表示手段としての前記コンピュータを、前記選択されたコンテンツに対応する前記表示ページ情報を前記可搬型記憶手段から読み出し、当該表示ページ情報が示すページを表示させるように機能させることを特徴とする。
【００２０】
本発明の更に他の観点では、複数ページで構成されるコンテンツを表示する表示手段と、指示を入力するために用いられる入力手段と、を備える表示装置における表示方法であって、前記指示に基づいて選択された前記コンテンツを、記憶内容の書き換えと着脱とが可能な不揮発性の可搬型記憶手段から読み出し前記表示手段に表示させる読み出し表示工程と、前記指示に基づいて、前記表示手段に表示中の前記コンテンツのページを切り替える表示切替工程と、前記選択されたコンテンツの表示の終了の直前に表示したページを示す表示ページ情報を、所定タイミングで当該コンテンツに対応付けて前記可搬型記憶手段に記憶させる記憶工程と、を有し、前記読み出し表示工程においては、前記選択されたコンテンツに対応する前記表示ページ情報を前記可搬型記憶手段から読み出し、当該表示ページ情報が示すページを表示させることを特徴とする。
【発明の効果】
【００２１】
本発明によれば、コンテンツの表示の終了の直前に表示されたページを示す表示ページ情報が可搬型記憶手段に記憶され、選択されたコンテンツが可搬型記憶手段から読み出され表示される際に、当該コンテンツに対応する表示ページ情報が可搬型記憶手段から読み出され、当該表示ページ情報が示すページが表示されるので、本発明に係る表示装置と同じ構成を有する他の表示装置にこの可搬型記憶手段を装着することで、同じコンテンツを当該他の表示装置が表示する際にも、前回表示終了直前に表示されたページを最初に表示することができる。
【図面の簡単な説明】
【００２２】
【図１】一実施形態に係る携帯型表示装置１の概要構成の一例を示すブロック図である。
【図２】第１実施形態において、メモリカードＭＣに記憶されるコンテンツのデータ構成の一例を示す図である。
【図３】コンテンツとして、コンテンツＡとコンテンツＢとを切り替えて画面に表示させた場合の画面遷移の一例を示す図である。
【図４】第１実施形態に係る携帯型表示装置１におけるＣＰＵ１０１により実行される処理の一例を示すフローチャートである。
【図５】第１実施形態に係る携帯型表示装置１におけるＣＰＵ１０１により実行される処理の一例を示すフローチャートである。
【図６】コンテンツＢの３ページ目を拡大表示させた場合の画面遷移の一例を示す図である。
【図７】第２実施形態において、メモリカードＭＣに記憶されるコンテンツのデータ構成の一例を示す図である。
【図８】第２実施形態に係る携帯型表示装置１におけるＣＰＵ１０１により実行される処理の一例を示すフローチャートである。
【図９】第２実施形態に係る携帯型表示装置１におけるＣＰＵ１０１により実行される処理の一例を示すフローチャートである。
【発明を実施するための形態】
【００２３】
以下、本発明の最良の実施形態を図面に基づいて説明する。なお、以下に説明する実施の形態は、例えば、ＳＤ（Secure Digital）メモリカードやマルチメディアカード等といった、記憶内容の書き換えと着脱とが可能な不揮発性の可搬型記憶手段（記録媒体）であるメモリカードに記憶された電子文書等のコンテンツを表示する携帯型表示装置に対して本発明を適用した場合の実施形態である。
【００２４】
［１．第１実施形態］
［１．１  携帯型表示装置の構成等］
始めに、図１乃至図３を参照して、本発明の第１実施形態に係る携帯型表示装置１の構成及び機能について説明する。
【００２５】
図１は、本実施形態に係る携帯型表示装置１の概要構成の一例を示すブロック図である。
【００２６】
図１に示すように、携帯型表示装置１は、携帯型表示装置１全体を統括制御するＣＰＵ（Central Processing Unit）１０１と、ファームウエア等を記憶するＲＯＭ（Read Only Memory）１０２と、各種制御プログラムやユーザ設定等のデータを記憶するフラッシュＲＯＭ１０３と、揮発性記憶手段としてＣＰＵ１０１の制御処理に必要なデータを一時的に記憶するＲＡＭ（Random Access Memory）１０４と、カーソルキー、決定キー、電源スイッチ等から構成され、入力手段としてユーザからの指示を指示情報としてＣＰＵ１０１に供給する操作キー１０５と、例えば、電気泳動表示パネルにより構成され、コンテンツを画面に表示する表示部１０６と、ＣＰＵ１０１からの指示に基づき表示部１０６による表示を制御する表示コントローラ１０７と、を備えている。
【００２７】
また、携帯型表示装置１は、例えばリチウムイオン電池等から構成され、各部に電力を供給するバッテリー１０８と、バッテリー１０８に対する充電を制御する充電コントローラ１０９と、メモリカードドライブ等により構成され、ＣＰＵ１０１からの指示に基づきメモリカードドライブに挿入されたメモリカードＭＣに対してデータの書き込み及び読み出しを行うメモリカードＩ／Ｆ（インターフェース）１１０と、携帯型表示装置１とパーソナルコンピュータ等の外部装置とを有線または無線により接続してデータを送受信するためのインターフェース処理を行う通信Ｉ／Ｆ１１１と、を備えている。そして、ＣＰＵ１０１と、ＲＯＭ１０２、フラッシュＲＯＭ１０３、ＲＡＭ１０４、操作キー１０５、表示コントローラ１０７、充電コントローラ１０９、メモリカードＩ／Ｆ１１０及び通信Ｉ／Ｆ１１１とは、バス１１２を介して相互に接続されている。
【００２８】
図２は、メモリカードＭＣに記憶されるコンテンツのデータ構成の一例を示す図である。
【００２９】
各コンテンツは、例えば１コンテンツが１ファイルのコンテンツ情報としてメモリカードＭＣに記憶される。そして、各コンテンツは、それぞれヘッダ情報（付加情報の一例）と実データとにより構成されている。
【００３０】
ヘッダ情報は、コンテンツ自体に関する情報としてコンテンツに付加されている。具体的にヘッダ情報としては、例えば、コンテンツの識別情報としてのコンテンツＩＤ、コンテンツのタイトルを示すタイトル情報、コンテンツの全ページ数、コンテンツの読書日時（最後に表示された日時）、ユーザが読書中のページ番号を示す読書中ページ番号（表示ページ情報の一例）等が設定される。ここで、読書中ページ番号は、開いている（画面に表示されている）コンテンツの表示終了時点または電源オフ時点で表示されていたページ番号である。ヘッダ情報が設定される領域（付属領域の一例）は、コンテンツ情報中に予め確保されている。従って、一度も閲覧されていない（表示されていない）コンテンツに関しては、読書日時及び読書中ページ番号は設定されないが、その場合には、それらの領域に無効な値が設定されている。
【００３１】
実データは、画面に表示されるコンテンツの本体であり、例えば、表示画像としてのビットマップデータがページ毎に区切られて構成されている。
【００３２】
このような構成のコンテンツは、例えば、パーソナルコンピュータ等によってオリジナルのコンテンツから変換されて作成される。そして、作成されたコンテンツは、パーソナルコンピュータ等によってメモリカードＭＣに記憶され、あるいは、通信Ｉ／Ｆ１１１を介してパーソナルコンピュータ等から受信されてメモリカードＭＣに記憶される。
【００３３】
ＣＰＵ１０１は、ＲＯＭ１０２やフラッシュＲＯＭ１０３に記憶された各種プログラム（本発明の表示処理プログラムを含む）を読み出し実行することにより、コンテンツの選択処理及び表示制御処理を実行するとともに、本発明における表示制御手段、表示切替手段及び記憶制御手段等として機能する。
【００３４】
具体的に、ＣＰＵ１０１は、画面表示するコンテンツを選択するためのコンテンツ一覧からユーザによって選択されたコンテンツの実データをメモリカードＭＣから読み出し、画面に表示させる。このとき、ＣＰＵ１０１は、選択されたコンテンツのヘッダ情報をメモリカードＭＣから読み出し、当該ヘッダ情報に読書中ページ番号が登録されている場合には、当該読書中ページ番号が示すページを表示させる一方、読書中ページ番号が登録されていない場合には、１ページ目を表示させる。そして、ＣＰＵ１０１は、読書中ページ番号がヘッダ情報に登録されているか否かにかかわらず、表示させたページの番号を表示ページ番号としてＲＡＭ１０４に記憶させる。
【００３５】
また、ＣＰＵ１０１は、ユーザのページ切り替え操作に応じて、現在開いているコンテンツの画面に表示させるページを別のページに切り替えて表示させる。このとき、ＣＰＵ１０１は、ＲＡＭ１０４に記憶されている表示ページ番号を参照して、現在表示されているページを認識するとともに、当該表示ページ番号を変更する。そして、ＣＰＵ１０１は、ユーザによってコンテンツを閉じる操作がされた（コンテンツの表示を終了させる指示がユーザによってなされた）とき、その時点で画面に表示されていたページの番号、つまり、ＲＡＭ１０４に記憶されている表示ページ番号を、読書中ページ番号として、メモリカードＭＣに記憶されている（そのとき開いていた）コンテンツのヘッダ情報中に記録する。
【００３６】
ここで、上述した処理による画面遷移例を説明する。図３は、コンテンツとして、コンテンツＡとコンテンツＢとを切り替えて画面に表示させた場合の画面遷移の一例を示す図である。
【００３７】
図３（ａ）は、コンテンツ一覧の画面表示例である。図３（ａ）においては、メモリカードＭＣのフォルダＭ（あるいはディレクトリ）に、コンテンツＡ、コンテンツＢ及びコンテンツＣが記憶されていることが示されている。ここで、コンテンツＡが初めて選択されると、画面には、コンテンツＡの１ページ目が表示される（図３（ｂ））。次いで、次ページに切り替える操作によって、画面には、コンテンツＡの２ページ目が表示される（図３（ｃ））。そして、コンテンツを閉じる操作によって、コンテンツの一覧表示に戻るが（図３（ｄ））、このとき、表示していたページの番号である２が読書中ページ番号としてメモリカードＭＣに記録される。
【００３８】
その後、コンテンツＢが初めて選択されると、画面には、コンテンツＢの１ページ目が表示され（図３（ｅ））、次ページに切り替える操作によって、画面には、コンテンツＢの２ページ目、コンテンツＢの３ページ目と、順次表示される（図３（ｆ）、（ｇ））。そして、コンテンツを閉じる操作によって、コンテンツの一覧表示に再度戻り（図３（ｈ））、ここで、コンテンツＡが選択されると、画面には、コンテンツＡの前回最後に表示されていた２ページ目が表示される（図３（ｉ））。そして、次ページに切り替える操作によって、画面には、コンテンツＡの３ページ目が表示される（図３（ｊ））。
【００３９】
また、ＣＰＵ１０１は、コンテンツを閉じるときとは別に、電源オフ操作がされたときにも、その時点で画面に表示されていたページの番号を読書中ページ番号として、メモリカードＭＣに記憶されている（そのとき開いていた）コンテンツのヘッダ情報中に記録する。本実施形態において、電源オフとは、携帯型表示装置１の全デバイスに対する電力供給を停止させることである。表示部１０６が、例えば、ブラウン管や液晶等の揮発性の表示手段であれば、バッテリー１０８からの電力供給が停止される電源オフは、即ちコンテンツの表示を終了させことを意味するが、本実施形態のように、表示部１０６が電気泳動方式等の電子ペーパーである場合には、電源オフ状態でも、それまでの表示を維持することができる一方、表示中ページ番号をＲＡＭ１０４に記憶していると、その情報が消えてしまう。そこで、本実施形態では、電源オフ操作がされたとき、電源をオフする直前に読書中ページ番号を記録させることとした。
【００４０】
なお、フラッシュＲＯＭ１０３に記憶される制御プログラムは、例えば、メモリカードＭＣに記憶されてメモリカードＩ／Ｆ１１０を介して更新されても良いし、通信Ｉ／Ｆ１１１を介して受信されて更新されても良い。
【００４１】
［１．２  携帯型表示装置の動作］
次に、図４及び図５を参照して、本実施形態に係る携帯型表示装置１の動作について説明する。
【００４２】
図４及び図５は、本実施形態に係る携帯型表示装置１におけるＣＰＵ１０１により実行される処理の一例を示すフローチャートである。
【００４３】
図４に示す処理は、例えば、携帯型表示装置１の電源がオンとされた後に開始される。先ず、ＣＰＵ１０１は、メモリカードドライブに挿入されているメモリカードＭＣに記憶されている各コンテンツのヘッダ情報を読み出し、当該ヘッダ情報に基づいて、コンテンツ一覧を、例えば図３（ａ）に示すように画面に表示させる（ステップＳ１）。次いで、ＣＰＵ１０１は、操作キー１０５からの指示情報に基づいて、表示するコンテンツがユーザによって選択されたか否かを判定する（ステップＳ２）。このとき、ＣＰＵ１０１は、コンテンツが選択されていない場合には（ステップＳ２：ＮＯ）、ステップＳ１に移行する。
【００４４】
一方、ＣＰＵ１０１は、コンテンツが選択された場合には（ステップＳ２：ＹＥＳ）、選択されたコンテンツのヘッダ情報をメモリカードＭＣから読み出し（ステップＳ３）、当該ヘッダ情報から読書中ページ番号を読み出す（ステップＳ４）。そして、ＣＰＵ１０１は、読書中ページ番号が登録されているか否かを判定する（ステップＳ５）。このとき、ＣＰＵ１０１は、読書中ページ番号が登録されている場合には（ステップＳ５：ＹＥＳ）、表示中ページ番号として読書中ページ番号を設定し（ステップＳ６）、読書中ページ番号が登録されていない場合には（ステップＳ５：ＮＯ）、表示中ページ番号として１ページ目を設定する（ステップＳ７）。
【００４５】
ＣＰＵ１０１は、表示中ページ番号の設定を終えると、メモリカードＭＣから、選択されたコンテンツの表示中ページ番号が示すページの実データを読み出し（ステップＳ８）、当該実データを画面に表示させる（ステップＳ９）。
【００４６】
次いで、ＣＰＵ１０１は、操作キー１０５からの指示情報に基づいて、ユーザによってコンテンツを閉じる操作または電源オフ操作がされたか否かを判定する（ステップＳ１０）。このとき、ＣＰＵ１０１は、コンテンツを閉じる操作も電源オフ操作もされていない場合には（ステップＳ１０：ＮＯ）、次いで、ユーザによるページ切り替え操作の内容を判別する（ステップＳ１１）。
【００４７】
このとき、ＣＰＵ１０１は、前ページへの切り替え操作がされた場合には（ステップＳ１１：前ページ）、現在の表示ページが１ページ目であるか否かを判定する（ステップＳ１２）。このとき、ＣＰＵ１０１は、現在の表示ページが１ページ目ではない場合には（ステップＳ１２：ＮＯ）、現在の表示ページ番号から１を減算し（ステップＳ１３）、画面表示を前ページに切り替えるべくステップＳ８に移行する。一方、ＣＰＵ１０１は、現在の表示ページが１ページ目である場合には（ステップＳ１２：ＹＥＳ）、エラーメッセージを画面に表示させて（ステップＳ１６）、ステップＳ１０に移行する。
【００４８】
また、ＣＰＵ１０１は、ステップＳ１１において、次ページへの切り替え操作がされた場合には（ステップＳ１１：次ページ）、現在の表示ページが最終ページであるか否かを判定する（ステップＳ１４）。このとき、ＣＰＵ１０１は、現在の表示ページが最終ページではない場合には（ステップＳ１４：ＮＯ）、現在の表示ページ番号に１を加算し（ステップＳ１５）、画面表示を次ページに切り替えるべくステップＳ８に移行する。一方、ＣＰＵ１０１は、現在の表示ページが最終ページである場合には（ステップＳ１４：ＹＥＳ）、エラーメッセージを画面に表示させて（ステップＳ１６）、ステップＳ１０に移行する。
【００４９】
ＣＰＵ１０１は、ステップＳ１０において、コンテンツを閉じる操作または電源オフ操作がされた場合には（ステップＳ１０：ＹＥＳ）、選択されているコンテンツのヘッダ情報の読書中ページ番号として、現在の表示ページ番号をメモリカードＭＣに記録する（ステップＳ１７）。
【００５０】
次いで、ＣＰＵ１０１は、ユーザ操作がコンテンツを閉じる操作であったか否かを判定する（ステップＳ１８）。このとき、ＣＰＵ１０１は、コンテンツを閉じる操作であった場合には（ステップＳ１８：ＹＥＳ）、コンテンツ一覧を表示すべくステップＳ１に移行する。一方、ＣＰＵ１０１は、ユーザ操作が電源オフ操作であった場合には（ステップＳ１８：ＮＯ）、電源をオフさせることによって（ステップＳ１９）、本処理が終了する。
【００５１】
以上説明したように、本実施形態によれば、ＣＰＵ１０１が、操作キー１０５からの指示情報に基づいて選択されたコンテンツを、メモリカードＭＣから読み出し表示部１０６に表示させ、操作キー１０５からの指示情報に基づいて、表示部１０６に表示中のコンテンツのページを切り替え、選択されたコンテンツの表示の終了の直前に表示したページを示す読書中ページ番号を、所定タイミングで当該コンテンツに対応付けてメモリカードＭＣに記憶させ、次回選択されたコンテンツに対応する読書中ページ番号をメモリカードＭＣから読み出し、当該読書中ページ番号が示すページを表示させるので、携帯型表示装置１と同様の構成を有する表示装置１にこのメモリカードＭＣを装着することで、同じコンテンツを当該他の表示装置が表示する際にも、前回表示終了直前に表示されたページを最初に表示することができる。
【００５２】
また、ＣＰＵ１０１が、メモリカードＭＣに記憶されているコンテンツのヘッダ情報中に読書中ページ番号を記録するので、読書中ページ番号を記憶させるためのテーブルの領域を予め確保する必要がなく、それゆえ、読書中ページ番号を記憶させておける個数が当該テーブルの容量に制限されず、メモリカードＭＣに記憶されているコンテンツ全てに対して読書中ページ番号を記憶させることができる。また、テーブルのサイズを大きくすると、その分メモリカードＭＣの容量が圧迫され、また、テーブルに設定された情報の検索に時間を要してしまうが、ヘッダ情報に記録するのであれば、メモリカードＭＣの容量を最初から圧迫することもなく、処理時間が遅くなることもない。更に、ヘッダ情報中に読書中ページ番号を設定する領域が予め存在するので、メモリカードＭＣの空き容量がたとえゼロであっても、読書中ページ番号をメモリカードＭＣに記憶させることができる。
【００５３】
また、ＣＰＵ１０１が、選択されたコンテンツの表示を終了させるときに、その時点で表示部１０６に表示させていたページを示す読書中ページ番号を記憶させるので、ページが切り替わる都度、読書中ページ番号がメモリカードＭＣに記憶されるということがなく、書き込み回数に限りがあるメモリカードＭＣの寿命を延ばすことができる。
【００５４】
また、ＣＰＵ１０１が、電源がオフとされるときに、その時点で表示部１０６に表示させていたページを示す読書中ページ番号を記憶させるので、表示部１０６が、電源からの電力供給が絶たれたときでもコンテンツの表示を維持する電気泳動方式等のディスプレイであり、コンテンツの表示を終了させることなく電源がオフ状態とされたとしても、他の表示装置にメモリカードＭＣを装着することで、同じコンテンツを当該他の表示装置が表示する際にも、電源オフ時に表示されたページを最初に表示することができる。しかも、ページが切り替わる都度、読書中ページ番号がメモリカードＭＣに記憶されるということがないので、書き込み回数に限りがあるメモリカードＭＣの寿命を延ばすことができる。
【００５５】
また、ＣＰＵ１０１が、ＲＡＭ１０４へ電力が供給される電源オン状態のときには、現在表示中のページを示す表示ページ番号をＲＡＭ１０４に記憶させ、電源オフによってＲＡＭ１０４を含む全デバイスへの電力供給が停止される直前に、ＲＡＭ１０４に記憶されている表示ページ番号を読書中ページ番号としてメモリカードＭＣに記憶させるので、メモリカードＭＣの寿命を延ばすことができるとともに、電源オン状態における表示ページ番号の書き込み時間を短くすることができ、読書中のページの管理を効率良く行うことができる。
【００５６】
［２．第２実施形態］
次に、本発明の第２実施形態について説明する。
【００５７】
本実施形態において、携帯型表示装置１は、ユーザ操作に応じてコンテンツの拡大表示を行うようになっている。また、携帯型表示装置１は、コンテンツ表示を終了させるまでの間に最終的に表示したページとそのときの拡大状態を記録し、同じコンテンツを再度表示するときに、同じページ及び同じ拡大状態で表示を行うようになっている。例えば、図６に示すように、コンテンツ一覧（図６（ａ））から、コンテンツＢが選択され、ページ切り替え操作及び拡大操作がされることによって、コンテンツＢの３ページ目（図６（ｃ））の一部が拡大された状態で表示される（図６（ｂ））。この状態でコンテンツＢが一度閉じられた後（または電源がオフされた後）、再度コンテンツＢが選択されると、閉じられたときのページである３ページ目を表示するとともに、同じ拡大率及び拡大位置でコンテンツＢが表示される（図６（ｂ））。
【００５８】
図７は、メモリカードＭＣに記憶されるコンテンツのデータ構成の一例を示す図である。図７において、図２と異なる点は、ヘッダ情報中に読書中ページ拡大情報（表示情報の一例）が追加されている点である。読書中ページ拡大情報には、例えば、拡大率及び拡大位置が含まれている。拡大率としては、例えば、通常表示に対する表示倍率が設定される。また、拡大位置は、例えば、拡大表示時において、コンテンツ１ページのうち画面に表示された範囲の最左上部の位置であり、コンテンツ１ページの最左上部を原点としたＸＹ座標で示される。
【００５９】
ＣＰＵ１０１は、コンテンツ一覧からユーザによって選択されたコンテンツの実データを画面に表示させるとき、選択されたコンテンツのヘッダ情報に読書中ページ番号が登録されている場合には、当該読書中ページ番号が示すページを表示させるとともに、読書中ページ拡大情報が示す拡大率及び拡大位置で当該ページを表示させる。
【００６０】
また、ＣＰＵ１０１は、ユーザの拡大操作に応じて、現在表示しているページの拡大率及び拡大位置を変更して、コンテンツを画面に表示させる。そして、ＣＰＵ１０１は、ユーザによってコンテンツを閉じる操作または電源オフ操作がされたとき、その時点で画面に表示されていたページの番号を読書中ページ番号として記録するとともに、その時点での拡大状態を読書中ページ拡大情報として記録する。
【００６１】
なお、携帯型表示装置１の構成は第１実施形態の場合と同様であるので、詳細な説明は省略する。
【００６２】
図８及び図９は、本実施形態に係る携帯型表示装置１におけるＣＰＵ１０１により実行される処理の一例を示すフローチャートであり、同図において、図４及び図５と同様の要素については同様の符号を付してある。
【００６３】
図８に示すように、ＣＰＵ１０１は、コンテンツ一覧の表示、選択されたコンテンツのヘッダ情報及び読書中ページ番号の読み込みを行い（ステップＳ１〜Ｓ４）、読書中ページ番号が登録されている場合には（ステップＳ５：ＹＥＳ）、表示中ページ番号として読書中ページ番号を設定した後（ステップＳ６）、表示状態として、ヘッダ情報中のページ拡大情報を設定する（ステップＳ２１）。次いで、ＣＰＵ１０１は、表示中ページ番号が示すページの実データを読み出すと（ステップＳ８）、現在の拡大状態に合わせて実データを拡大表示または通常表示を行う（ステップＳ２２）。なお、ＣＰＵ１０１は、読書中ページ番号が登録されていない場合には（ステップＳ５：ＮＯ）、通常表示を行う。
【００６４】
次いで、ＣＰＵ１０１は、コンテンツを閉じる操作も電源オフ操作もされていない場合には（ステップＳ１０：ＮＯ）、ユーザによって拡大操作がされたか否かを判定する（ステップＳ２３）。このとき、ＣＰＵ１０１は、拡大操作がされなかった場合には（ステップＳ２３：ＮＯ）、ユーザ操作に応じてページ切り替え処理を行う（ステップＳ１１〜Ｓ１６）。一方、ＣＰＵ１０１は、拡大操作がされた場合には（ステップＳ２３：ＹＥＳ）、ユーザによって指定された拡大率及び拡大位置で現在の拡大状態を更新し（ステップＳ２４）、拡大操作を画面表示に反映させるべくステップＳ８に移行する。
【００６５】
ＣＰＵ１０１は、ステップＳ１０において、コンテンツを閉じる操作または電源オフ操作がされた場合には（ステップＳ１０：ＹＥＳ）、読書中ページ番号を記録するとともに（ステップＳ１７）、選択されているコンテンツのヘッダ情報の読書中ページ拡大情報として、現在の拡大情報をメモリカードＭＣに記録する（ステップＳ２４）。そして、ＣＰＵ１０１は、操作内容に応じてコンテンツ一覧を表示させ、または電源オフする（ステップＳ１８、Ｓ１９、Ｓ１）。
【００６６】
以上説明したように、本実施形態によれば、第１実施形態における効果に加え、ＣＰＵ１０１が、操作キー１０５からの指示情報に基づいて、表示部１０６によるコンテンツの表示拡大率と当該コンテンツ１ページのうち表示部１０６に表示させる位置を示す拡大位置と、の少なくとも何れか一方を切り替え、読書中ページ番号と、選択されたコンテンツの表示の終了の直前における拡大率及び拡大位置を含む読書中ページ拡大情報をメモリカードＭＣに記憶させ、読書中ページ番号及び読書中ページ拡大情報をメモリカードＭＣから読み出し、当該読書中ページ番号が示すページにおいて当該読書中ページ拡大情報に含まれる拡大位置を、当該読書中ページ拡大情報に含まれる拡大率で表示させるので、前回表示終了直前に表示されたページを、そのときの拡大率と拡大位置とで表示することができる。
【００６７】
なお本実施形態においては、コンテンツの拡大表示についてのみ説明したが、縮小表示に対しても適用することができる。
【００６８】
また、上記各実施形態においては、読書中ページ番号（及び読書中ページ拡大情報）が、コンテンツのヘッダ情報中に記録されるようにしていたが、コンテンツとは別個のデータとして（別個のファイルとして）、コンテンツと対応付けてメモリカードＭＣに記録されるようにしても良い。また、メモリカードＭＣの記憶領域に管理用のテーブルを設けて、当該テーブルに読書中ページ番号が設定記憶されるようにしても良い。例えば、メモリカードＭＣが初めて携帯型表示装置１に装着されたときに、ＣＰＵ１０１が、当該メモリカードＭＣに対してテーブルの領域を確保する。そして、ＣＰＵ１０１は、このテーブルに、読書中ページ番号と開いていたコンテンツのコンテンツＩＤとを対応付けて設定する。ＣＰＵ１０１は、次回、メモリカードＭＣからコンテンツを読み出す際には、当該コンテンツのコンテンツＩＤでテーブルを検索して、対応する読書中ページ番号を読み出すようにする。
【００６９】
また、上記各実施形態においては、コンテンツを１ページ単位で表示するようにしていたが、複数ページ単位で表示するようにしても良い。
【００７０】
更にまた、表示部１０６として、例えば、液晶ディスプレイ等を適用しても良い。
【００７１】
また更に、例えば、表示部１０６に表示されるページが切り替わる度に、そのときに表示されているページの番号を読書中ページ番号として記録しても良い。
【００７２】
更にまた、上記各実施形態においては、携帯型表示装置１の全デバイスに対する電力供給を停止させる電源オフ時に読書中ページ番号を記録させるようにしていたが、省電力状態に移行するときに記録させるようにしても良い。ここで、省電力状態とは、少なくともＲＡＭ１０４への電力供給が停止され、且つ、一部のデバイス（例えば、ＣＰＵ１０１）へは電力が供給されている状態である。そして、電源オン状態において、例えば、ユーザが一定時間操作キー１０５を操作しないと、省電力状態に移行し、一部のデバイスへの電力供給が停止する。これによって、携帯型表示装置１の電力消費を抑えることができる。
【００７３】
具体的には、ＣＰＵ１０１が、省電力状態に移行させると判断した場合には、ＲＡＭ１０４に記憶されている表示ページ番号を読書中ページ番号としてメモリカードＭＣに記録させた直後、例えば、ＲＡＭ１０４及び表示部１０６等へのバッテリー１０８からの電力供給を停止させる。そして、省電力状態においては、ＣＰＵ１０１が、操作キー１０５からの指示情報の出力を監視し、電源スイッチ等が操作されときに、ＲＡＭ１０４及び表示部１０６等への電力供給を開始させるようにする。
【符号の説明】
【００７４】
１  携帯型表示装置
１０１  ＣＰＵ
１０２  ＲＯＭ
１０３  フラッシュＲＯＭ
１０４  ＲＡＭ
１０５  操作キー
１０６  表示部
１０７  表示コントローラ
１０８  バッテリー
１０９  充電コントローラ
１１０  メモリカードＩ／Ｆ
１１１  通信Ｉ／Ｆ
１１２  バス
【図１】
2010170499.tif 000003
【図２】
2010170499.tif 000004
【図３】
2010170499.tif 000005
【図４】
2010170499.tif 000006
【図５】
2010170499.tif 000007
【図６】
2010170499.tif 000008
【図７】
2010170499.tif 000009
【図８】
2010170499.tif 000010
【図９】
2010170499.tif 000011